(57)【特許請求の範囲】
【請求項１】
予め定められた記録対象情報を収集する記録対象情報収集手段と、前記記録対象情報収集手段が収集した記録対象情報を記憶する揮発性の第１記憶手段と、着脱自在の記録媒体であって、予め定められた所定条件を満たすときに前記第１記憶手段が記憶している記録対象情報が記憶される第２記憶手段と、を有する記録対象情報記憶装置において、
前記記録対象情報収集手段が収集した記録対象情報を前記第１記憶手段と共に記憶する、前記第１記憶手段及び前記第２記憶手段とは別の第３記憶手段と、
装置における電源断のときに前記第３記憶手段がその記憶内容を保持するのに必要な電力を前記第３記憶手段にのみ供給する予備電源と、
を有することを特徴とする記録対象情報記憶装置。
【請求項２】
前記第１記憶手段から前記第２記憶手段への前記記録対象情報の記憶が正常終了したか異常終了したか否かを示す終了情報を前記第３記憶手段に記憶させる制御を行う終了情報記憶制御手段と、
前記第３記憶手段が記憶している終了情報に異常終了が設定されているときに、前記第３記憶手段に記憶している記録対象情報を前記第２記憶手段に記憶させる制御を行う異常時記憶制御手段と、
を有することを特徴とする請求項１に記載の記録対象情報記憶装置。
【請求項３】
前記第３記憶手段が、前記第１記憶手段とは異なる揮発性メモリであることを特徴とする請求項１又は２に記載の記録対象情報記憶装置。
【請求項４】
前記第２記憶手段が、装置に対して取り外し可能な記憶媒体であることを特徴とする請求項１〜３の何れか１項に記載の記録対象情報記憶装置。
【発明の詳細な説明】
【技術分野】
【０００１】
本発明は、予め定められた記録対象情報を収集する記録対象情報収集手段と、前記記録対象情報収集手段が収集した記録対象情報を記憶する揮発性の第１記憶手段と、前記第１記憶手段が記憶している記録対象情報が予め定められた所定条件を満たすときに記憶される第２記憶手段と、を有する記録対象情報記憶装置に関するものである。
【背景技術】
【０００２】
車両の運行状況を記録する運行記憶装置は、特許文献１に記載の如く、運行状況を常時記憶する第１記憶手段と、車両が所定の条件を満たしたときに第１記憶手段に記憶された情報を不揮発性の第２記憶手段に記憶するに当たり、万一、第２記憶手段に記憶させることができない状況の際に、第１記憶手段に記憶された情報を副記憶手段に記憶させている。これは万一第２記憶手段に書き込み再度できるようになった際に、副記憶手段に記憶された情報を第２記憶手段に転送するためであり、所定の条件下では情報が失われることがないようにしていた。
【０００３】
なお、第１記憶手段は高速且つ頻繁の書き込みが必要であることから、ＳＤＲＡＭ（synchronous dynamic random access memory）等の揮発性メモリが用いられており、第２記憶手段及び副記憶手段は第１記憶手段のように高速且つ頻繁の書き込みを必要としないことから、フラッシュメモリ等の低価格のメモリが用いられている。
【特許文献１】特開２００８−６５４５４号公報
【発明の開示】
【発明が解決しようとする課題】
【０００４】
しかしながら、上述した運行記憶装置では、万一の電源断時にも第２記憶手段或いは副記憶手段に記憶された情報を転送できるようにするための予備電源を備えていたため、所定の条件を満たすときに第２記憶手段が書き込み可能かの判定及び書き込みができない際に副記憶手段への情報の転送を行うために消費電力が大きくある程度の予備電源の容量が必要であった。このような問題は、ドライブレコーダに限定するものではなく、例えばデジタルタコグラフ、加速度記憶装置等の各種記録対象情報記憶装置に同様に発生する問題である。
【０００５】
よって本発明は、上述した問題点に鑑み、装置の電源断時に記憶している記録対象情報を保持するときの省電力化を図ることができる記録対象情報記憶装置を提供することを課題としている。
【課題を解決するための手段】
【０００６】
上記課題を解決するため本発明によりなされた請求項１記載の記録対象情報記憶装置は、図１の基本構成図に示すように、予め定められた記録対象情報を収集する記録対象情報収集手段１１ａと、前記記録対象情報収集手段１１ａが収集した記録対象情報を記憶する揮発性の第１記憶手段１３と、着脱自在の記録媒体であって、予め定められた所定条件を満たすときに前記第１記憶手段１３が記憶している記録対象情報が記憶される第２記憶手段Ｃと、を有する記録対象情報記憶装置１において、前記記録対象情報収集手段１１ａが収集した記録対象情報を前記第１記憶手段１３と共に記憶する、前記第１記憶手段及び前記第２記憶手段とは別の第３記憶手段１４と、装置における電源断のときに前記第３記憶手段１４がその記憶内容を保持するのに必要な電力を前記第３記憶手段１４にのみ供給する予備電源１９と、を有することを特徴とする。
【０００７】
上記請求項１に記載した本発明の記録対象情報記憶装置によれば、記録対象情報収集手段１１ａによって記録対象情報が収集されると、当該記録対象情報は第１記憶手段１３に記憶されると共に第３記憶手段１４に記憶される。そして、所定条件を満たしたときに、第１記憶手段１３への記録対象情報の記憶が失敗した場合に装置の電源が断たれると、第３記憶手段１４は予備電源１９からの電力によって記録対象情報を保持し続ける。
【０００８】
請求項２記載の発明は、図１の基本構成図に示すように、請求項１に記載の記録対象情報記憶装置において、前記第１記憶手段１３から前記第２記憶手段Ｃへの前記記録対象情報の記憶が正常終了したか異常終了したか否かを示す終了情報を前記第３記憶手段１４に記憶させる制御を行う終了情報記憶制御手段１１ｂと、前記第３記憶手段１４が記憶している終了情報に異常終了が設定されているときに、前記第３記憶手段１４に記憶している記録対象情報を前記第２記憶手段Ｃに記憶させる制御を行う異常時記憶制御手段１１ｃと、を有することを特徴とする。
【０００９】
上記請求項２に記載した本発明の記録対象情報記憶装置によれば、記録対象情報が第１記憶手段１３から前記第２記憶手段Ｃへの記憶結果を示す終了情報が終了情報記憶制御手段１１ｂによって第３記憶手段１４に記憶される。そして、装置の起動時、リセット時等に第３記憶手段１４に記憶している終了情報に異常終了が設定されていると、第３記憶手段１４に記憶している記録対象情報が異常時記憶制御手段１１ｃによって第２記憶手段Ｃに記憶される。
【００１０】
請求項３記載の発明は、図１の基本構成図に示すように、請求項１又は２に記載の記録対象情報記憶装置において、前記第３記憶手段１４が、前記第１記憶手段１３とは異なる揮発性メモリであることを特徴とする。
【００１１】
上記請求項３に記載した本発明の記録対象情報記憶装置によれば、第１記憶手段１３とは異なる揮発性メモリを第３記憶手段１４に用いることができる。
【００１２】
請求項４記載の発明は、図１の基本構成図に示すように、請求項１〜３の何れか１項に記載の記録対象情報記憶装置において、前記第２記憶手段Ｃが、装置に対して取り外し可能な記憶媒体であることを特徴とする。
【００１３】
上記請求項４に記載した本発明の記録対象情報記憶装置によれば、第２記憶手段Ｃが取り外された状態で、第２記憶手段Ｃへの記録対象情報の記憶ができない場合でも、その記録対象情報は第３記憶手段に記憶しておくことができる。
【発明の効果】
【００１４】
以上説明したように請求項１に記載した本発明の記録対象情報記憶装置によれば、収集した記録対象情報を第１記憶手段及び第３記憶手段の双方に記憶し、所定条件を満たして第２記憶手段への記憶が終了した後は、記録対象情報の転送等の処理が不要となり、第３記憶手段は予備電源からの電力でのみ記憶内容を保持することから、電源断時等の消費電力を低減させることができるため、予備電源の容量を小さくすることができる。従って、装置に大容量の電池等を搭載することなく、所定条件を満たす前までの記録対象情報を記憶することができる。
【００１５】
請求項２に記載の発明によれば、請求項１に記載の発明の効果に加え、第１記憶手段から第２記憶手段への記録対象情報の記憶結果を終了情報として第３記憶手段に記憶し、起動時等にその終了情報が異常終了を示していると、第３記憶手段に記憶している記録対象情報を第２記憶手段に記憶するようにしたことから、第２記憶手段の異常、記憶途中の電源断等が発生しても、記録対象情報を確実に復旧して第２記憶手段に記憶することができる。従って、第２記憶手段に関する記憶異常が発生しても、記録対象情報記憶装置自体を取り外す等の作業が必要ないため、メンテナンス性を向上することができる。
【００１６】
請求項３に記載の発明によれば、請求項１又は２に記載の発明の効果に加え、第３記憶手段のみを不揮発性メモリとすることで、第１記憶手段にのみ揮発性メモリを用いれば良くなるため、双方ともに揮発性メモリを用いる場合よりもコストダウンを図ることができる。
【００１７】
請求項４に記載の発明によれば、請求項１〜３の何れか１項に記載の発明の効果に加え、第２記憶手段が取り外された状態で、装置の電源が断たれても、記録対象情報は第３記憶手段に記憶されているので、記録対象情報の喪失を防止することができる。
【発明を実施するための最良の形態】
【００１８】
以下、本発明に係る図１に示す記録対象情報記憶装置１をドライブレコーダに適用した場合の最良の形態を、図２乃至図４の図面を参照して以下に説明する。
【００１９】
図２において、ドライブレコーダ１０は、運転者の視界を妨げないように、貨物輸送用トラック、タクシー、乗用車等の車両に搭載されている。ドライブレコーダ１０は、予め定めたプログラムに従って各種の処理や制御などを行う中央演算処理装置（ＣＰＵ）１１、ＣＰＵ１１のためのプログラム等を格納した読み出し専用のメモリであるＲＯＭ１２、各種のデータを格納するとともにＣＰＵ１１の処理作業に必要なエリアを有する読み出し書き込み自在の揮発性メモリであるＳＤＲＡＭ（Synchronous DRAM）１３、装置本体が電源オフ状況の間も記憶内容の保持が可能な不揮発性メモリであるＳＲＡＭ（Static Random Access Memory）１４等を有して構成している。
【００２０】
上述したＲＯＭ１２には、特許請求の範囲に記載の図１に示す記録対象情報収集手段１１ａ、終了情報記憶制御手段１１ｂ、異常時記憶制御手段１１ｃ等の各種手段としてＣＰＵ１１（コンピュータ）を機能させるための各種プログラムを記憶している。
【００２１】
ＳＤＲＡＭ１３は、請求項の範囲に記載の図１に示す第１記憶手段に相当し、ドライブレコーダ１０の電源（図示せず）を切ると記憶内容が失われる半導体メモリであり、ビデオメモリ等が任意に用いられる。ＳＤＲＡＭ１３は、車両の走行中、運行中等に収集した記録対象情報を記憶するのに十分な記憶容量のものが用いられる。
【００２２】
ＳＲＡＭ１４は、電源を切っても記憶内容を保持することができる半導体メモリであり、フラッシュメモリ等が任意に用いられる。ＳＲＡＭ１４は、ＳＤＲＡＭ１３に記憶される記録対象情報と同一の記録対象情報が同期して記憶される。即ち、ＳＤＲＡＭ１３とＲＡＭ１４には、同一の記録対象情報が記憶されることになる。ただし、記憶容量の関係上、予備記憶手段としてのＳＲＡＭ１４には、記録対象情報の一部のみを記録するようにしても良い。
【００２３】
ＳＲＡＭ１４は、記録対象情報と終了情報とを記憶する領域を有している。そして、記録対象情報は、ドライブレコーダ１０であることから、例えば事故発生時の前後の前方映像、車両速度、急加減速などの車両状況を示すデータを有している。なお、記録対象情報のデータ構造等は、装置の種類や仕様、記録目的などに応じて任意に定められる。また、終了情報は、上記記録対象情報のカードＣへの記憶が正常終了か異常終了かを示すデータを有している。
【００２４】
ドライブレコーダ１０はさらに、カメラ１５と、加速度センサ１６と、カード挿入部１７と、を有する構成となっている。そして、カメラ１５は、インタフェース回路（Ｉ／Ｆ）１５ｉを介してＣＰＵ１１と電気的に接続されている。
【００２５】
カメラ１５は、ＣＣＤ（Charge Coupled Device）カメラ、デジタルカメラ、ビデオカメラ、赤外線カメラ等の各種カメラを任意に用いることができる。そして、カメラ１５は、車両の前方映像を常時撮像しており、この撮像した画像信号は、インタフェース回路１５ｉによって変換、圧縮処理等が行われ、撮像情報としてＣＰＵ１１に入力される。なお、撮像情報は、動画、静止画などドライブレコーダ２の構成、仕様等に応じて任意に定められるものである。
【００２６】
また、本最良の形態では、車両の前方を撮像するようにカメラ１５を筐体の内部に設けている場合について説明するが、本発明はこれに限定するものではなく、例えば、車両の後方、周辺、車両の運転者、営業用の車両の運転者、乗客、車内、乗降用のドア等を撮像するように車両の任意の箇所に設ける、車両に予め搭載されたカメラを用いる、複数のカメラを用いるなどのように種々異なる実施形態とすることができる。そして、複数のカメラ１５を車両における所望の箇所に配置することで、衝撃の原因解析等により貢献することができる撮像情報を収集できる。
【００２７】
加速度センサ１６は、３軸（Ｘ、Ｙ、Ｚ）方向の加速度・傾き・衝撃等を検出する３軸加速度センサを用いている。なお、３軸加速度センサは、周知であるように、薄いシリコンの梁（ビーム）によって錘を支え、加速度によって錘が動くことで梁が歪み、この歪みを梁上に形成したピエゾ抵抗素子等の抵抗変化で加速度を検出するようにしたものである。そして、加速度センサ１６は、ＣＰＵ１１と電気的に接続されており、検出した加速度を示す加速度信号をＣＰＵ１１に出力する。なお、加速度センサ１６は、車両の前後方法と該進行方向に直交する方向の加速度を検出できるものが好ましい。
【００２８】
また、本最良の形態では、加速度センサ１６を上述したカメラ１５に対応させて設けており、加速度センサ１６ａを筐体の内部に設ける場合について説明するが、車両の測定ポイントに１又は複数の加速度センサ１６を配置するなど種々異なる実施形態とすることができる。
【００２９】
カード挿入部１７は、装着されたカードＣに対してＣＰＵ１１から指定された各種データの書き込み、読み込みを行うもので、カードＣの挿入部１７に対する挿入は手動で行い、カードＣの排出は、排出キーの操作に応じてカード挿入部１７内の排出機構（図示せず）が自動で行う。
【００３０】
カードＣは、図１に示す特許請求の範囲に記載の第２記憶手段に相当し、例えばCompact Flash等のドライブレコーダ１０のカード挿入部１７に着脱自在のメモリカード等のカード状記録媒体を用いている。カードＣは、周知であるように、通電しなくても記憶内容が消えないメモリと、外部との入出力を受け持つコントローラ回路と、を有している。なお、カードＣについては、ドライブレコーダ１０の仕様等に応じて種々異なるタイプのメモリカード等を用いることができる。カード挿入部１７に挿入されたカードＣは、所定条件を満たすときに記録対象情報がカード挿入部１７によって書き込まれることで記憶される。
【００３１】
ドライブレコーダ１０はさらに、インタフェース部１８を有しており、インタフェース部１８はＣＰＵ１１と電気的に接続されている。そして、このインタフェース部１８には、車両の速度センサ３、図示しないイグニッション（ＩＧＮ）スイッチを接続しており、この速度センサ３１が出力した車両の速度に応じた速度信号等はＣＰＵ１１に入力される。そして、この速度信号がＣＰＵ１１によって車両状況情報を構成する中の１項目として検出されて記憶される。なお、カードＣに記憶する記録対象情報の構成内容によっては、車両のブレーキ、左右ターン、舵角等の各種信号を車両からインタフェース部１８を介してＣＰＵ１１に入力させることもできる。
【００３２】
ドライブレコーダ１０はさらに、予備電源１９を有している。予備電源１９は、バックアップ用の電池、コンデンサー等が用いられ、ＳＲＡＭ１４と電気的に接続している。予備電源１９は、ドライブレコーダ１０における電源断のときに、ＳＲＡＭ１４がその記憶内容を所定時間にわたって保持するのに必要な電力をＳＲＡＭ１４にのみ供給する構成となっている。
【００３３】
次に、ドライブレコーダ１０のＣＰＵ１１が実行する本発明に係る処理概要の一例を、図３のフローチャートを参照して説明する。
【００３４】
ステップＳ１において、電力の供給により、車両のイグニッション（ＩＧＮ）スイッチがＯＮされたか否かが判定される。ＩＧＮスイッチがＯＮされていないと判定された場合（Ｓ１でＮ）、この判定処理を繰り返すことで、ＩＧＮスイッチのＯＮを待つ。一方、ＩＧＮスイッチがＯＮされたと判定された場合（Ｓ１でＹ）、ステップＳ２に進む。
【００３５】
ステップＳ２において、カード挿入部１７がカードＣに対して情報の書き込みが可能（例えば、カードＣの装着の有無、記憶可能容量等）であるか否かが判定される。書き込みが可能ではないと判定された場合（Ｓ２でＮ）、ステップＳ１に戻り、一連の処理が繰り返される。一方、書き込みが可能であると判定された場合（Ｓ２でＹ）、ステップＳ３に進む。
【００３６】
ステップＳ３において、ＳＲＡＭ１４に記憶されている終了情報に正常終了が設定されているか否かが判定される。正常終了であると判定された場合（Ｓ３でＹ）、ステップＳ６に進む。一方、正常終了ではないと判定された場合（Ｓ３でＮ）、ステップＳ４において、ＳＲＡＭ１４に記憶している記録対象情報のカードＣへの書き込みがカード挿入部１７に要求されることで、カードＣへの記録が開始され、ステップＳ５において、カード挿入部１７からの完了通知によりカードＣへの記録が終了され、その後ステップＳ６に進む。
【００３７】
ステップＳ６において、初期処理が実行されると、ＳＤＲＡＭ１３、ＳＲＡＭ１４等の各種エリアに予め定められた初期値が設定され、これによりＳＲＡＭ１４の終了情報には初期値として「異常終了」が設定され、その後ステップＳ７に進む。
【００３８】
ステップＳ７において、カメラ１５から車両の前方等を撮像した撮像情報が取得され、ステップＳ８において、加速度センサ１６から入力された加速度信号が、３軸（Ｘ、Ｙ、Ｚ）方向の加速度・傾き・衝撃等を示す加速度情報が取得され、ステップＳ９において、取得された撮像情報と加速度情報とはＳＤＲＡＭ１３に記録対象情報として記憶され、ステップＳ１０において、記録対象情報としてＳＲＡＭ１４に記憶され、その後ステップＳ１１に進む。
【００３９】
ステップＳ１１において、ＳＤＲＡＭ１３の加速度情報に基づいて、車両の前後方向若しくは左右（車幅）方向の加速度が、予め定められた所定条件である記録トリガレベルを超えるか否かが判定される。記録トリガレベルを超えていないと判定された場合（Ｓ１１でＮ）、ステップＳ７に戻り、一連の処理が繰り返される。一方、記録トリガレベルを超えていると判定された場合（Ｓ１１でＹ）、所定条件を満たしていると判定され、ステップＳ１２に進む。
【００４０】
ステップＳ１２において、カード挿入部１７がカードＣに対して情報の書き込みが可能であるか否かが判定される。カードＣに書き込み可能と判定された場合（Ｓ１２でＹ）、ステップＳ１３において、ＳＤＲＡＭ１３に記憶している記録対象情報のカードＣへの書き込みがカード挿入部１７に要求されることで、カードＣへの記録が開始され、ステップＳ１４において、カード挿入部１７からの完了通知によりカードＣへの記録が終了され、その後ステップＳ１５に進む。
【００４１】
ステップＳ１５において、ＩＧＮスイッチがＯＦＦであるか否かが判定される。ＩＧＮスイッチがＯＦＦではないと判定された場合（Ｓ１５でＮ）、ステップＳ７に戻り、一連の処理が繰り返される。一方、ＩＧＮスイッチがＯＦＦであると判定された場合（Ｓ１５でＹ）、ステップＳ１６において、正常終了を示すデータがＳＲＡＭ１４の終了情報に設定され、ステップＳ１７において、終了処理が実行され、その後処理を終了する。
【００４２】
また、ステップＳ１２でカードＣに書き込み不能と判定された場合（Ｓ１２でＮ）、ステップＳ１８において、ＳＲＡＭ１４への記録対象情報の記憶途中である場合はその記憶が停止され、ステップＳ１９において、記録停止による異常終了を示すデータがＳＲＡＭ１４の終了情報に設定され、ステップＳ２０において、図示しない表示部や出力部等にエラー出力が要求されることで、エラー警告が行われ、ステップＳ２１において、ＩＧＮスイッチのＯＦＦが待たれ、そのＯＦＦの検出に応じて処理を終了する。
【００４３】
以上説明したように、ＣＰＵ１１は図３に示す処理プログラムを実行することで、ＣＰＵ１１が図１に示す請求項中の記録情報収集手段１１ａ、終了情報記憶制御手段１１ｂ、及び、異常時記憶制御手段１１ｃとして機能することになる。そして、図３中のステップＳ７〜Ｓ８が記録情報収集手段１１ａ、ステップＳ１６及びステップＳ１９が終了情報記憶制御手段１１ｂ、ステップＳ４〜Ｓ５が異常時記憶制御手段１１ｃにそれぞれ相当している。
【００４４】
次に、上述した構成によるドライブレコーダ１０の動作（作用）の一例を、図４の図面を参照して以下に説明する。
【００４５】
図４において、ドライブレコーダ１０は、電力供給に応じて起動され、その後ＩＧＮスイッチがＯＮされてカードＣへの書き込みが可能である場合、ＳＲＡＭ１４の終了情報Ｄ２を確認する。ドライブレコーダ１０は、終了情報Ｄ２に正常終了が設定されていると、記録対象情報Ｄ１である撮像情報と加速度情報を収集し、それらの情報をＳＤＲＡＭ１３とＳＲＡＭ１４の双方に記録対象情報Ｄ１として記憶する（工程Ｐ１）。そして、記録対象情報Ｄ１の加速度情報から記録トリガレベルを超える加速度を検出したときに、所定条件を満たしたと判定して、ＳＤＲＡＭ１３の記憶対象情報Ｄ１をカードＣに記憶する（工程Ｐ２）。
【００４６】
ドライブレコーダ１０は、記録対象情報Ｄ１のカードＣへの記憶が正常終了すると、その結果をＳＲＡＭ１４の終了情報Ｄ２にセットする。また、ドライブレコーダ１０は、記録対象情報Ｄ１のカードＣへの記憶が異常終了すると、その結果をＳＲＡＭ１４の終了情報Ｄ２にセットして、予備電源１９の電力によってＳＲＡＭ１４に記憶している記録対象情報Ｄ１を保持することになる。
【００４７】
ドライブレコーダ１０は、再起動等によりＳＲＡＭ１４の終了情報Ｄ２に異常終了が設定されていると、カードＣへの記録対象情報Ｄ１の失敗により、その記録対象情報Ｄ１がＳＲＡＭ１４に保持されていると判定して、ＳＲＡＭ１４からカードＣに記録対象情報Ｄ１を転送して記憶する（工程Ｐ３）。
【００４８】
以上説明したドライブレコーダ１０によれば、収集した記録対象情報Ｄ１をＳＤＲＡＭ（第１記憶手段）１３及びＳＲＡＭ（第３記憶手段）１４の双方に記憶し、所定条件を満たしてカード（第２記憶手段）Ｃへの記憶が終了した後は、記録対象情報Ｄ１の転送等の処理が不要となり、ＳＲＡＭ１４は予備電源１９からの電力でのみ記憶内容を保持することから、電源断時等の消費電力を低減させることができるため、予備電源１９の容量を小さくすることができる。従って、ドライブレコーダ１０に大容量の予備電池１９等を搭載することなく、所定条件を満たす前までの記録対象情報Ｄ１をＳＲＡＭ１４に記憶することができる。
【００４９】
また、ＳＤＲＡＭ１３からＳＲＡＭ１４への記録対象情報Ｄ１の記憶結果を終了情報Ｄ２としてＳＲＡＭ１４に記憶し、起動時等にその終了情報Ｄ２が異常終了を示していると、ＳＲＡＭ１４に記憶している記録対象情報Ｄ１をカードＣに記憶するようにしたことから、カードＣの異常、記憶途中の電源断等が発生しても、記録対象情報Ｄ１を確実に復旧してカードＣに記憶することができる。従って、カードＣに関する記憶異常が発生しても、ドライブレコーダ１０自体を車両から取り外す等の作業が必要ないため、メンテナンス性を向上することができる。
【００５０】
なお、上述した本実施形態では、図１に示す記録対象情報記憶装置１をドライブレコーダ１０に適用した場合について説明したが、記録対象情報記憶装置１をデジタルタコグラフ、加速度記憶装置等の他の装置に適用、組み込むこともできる。そして、本発明における所定条件は、ドライブレコーダ１０であれば記録トリガレベルの加速度の検出等、デジタルタコグラフであれば運行の所定変化の検出等、加速度記憶装置であれば記録トリガレベルの加速度を検出等ということになる。
【００５１】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００５２】
【図１】本発明に係る記録対象情報記憶装置の基本構成を示す図である。
【図２】本発明の記録対象情報記憶装置を適用したドライブレコーダの概略構成を示す構成図である。
【図３】図２のＣＰＵが実行する本発明に係る処理概要の一例を示すフローチャートである。
【図４】ドライブレコーダにおける記録対象情報のデーターフローの一例を説明するための図である。
【符号の説明】
【００５３】
１    記録対象情報記憶装置
１０    ドライブレコーダ
１１ａ    記録対象情報収集手段（ＣＰＵ）
１１ｂ    終了情報記憶制御手段（ＣＰＵ）
１１ｃ    異常時記憶制御手段（ＣＰＵ）
１３    第１記憶手段（ＳＤＲＡＭ）
１４    第３記憶手段（ＳＲＡＭ）
Ｃ    第２記憶手段（カード）
【図１】
0005543697.tif 000002
【図２】
0005543697.tif 000003
【図３】
0005543697.tif 000004
【図４】
0005543697.tif 000005